(57)【要約】【課題】デジタル化された映像およびオーディオ信号のうちの品位の高い映像および音質の高いオーディオ信号を記録可能な録画再生装置、画像およびオーディオ信号記録方法を提供する。【解決手段】この発明の録画再生装置は、入力されたデジタル信号がＴＳまたはＰａｒｔｉａｌ−ＴＳであることを第１の検出部（４０）で検出し、第１の検出部により、入力されたデジタル信号がＴＳまたはＰａｒｔｉａｌ−ＴＳであることが検出された場合、第２の検出部（４０）により、ＳＩＴ内のネットワーク識別記述子の記述内容またはデジタル信号のストリームに含まれる供給元に関する情報であるＮＩＴを取得してストリーム録画可能であるか否かを検出する。これにより、ストリーム記録が禁止されているタイトルについては、記録そのものが停止される。【選択図】    図１
2008016878.tif 000002
【特許請求の範囲】
【請求項１】
デジタル放送をストリーム記録する録画再生装置において、
入力されたデジタル信号が、Ｔｒａｎｓｐｏｒｔ  Ｓｔｒｅａｍ（ＴＳ）またはＰａｒｔｉａｌ  Ｔｒａｎｓｐｏｒｔ  Ｓｔｒｅａｍ（Ｐａｒｔｉａｌ−ＴＳ）であることを検出する第１の検出部と、
この第１の検出部により前記入力されたデジタル信号がＴＳまたはＰａｒｔｉａｌ−ＴＳであることが検出された場合、Ｓｅｌｅｃｔｉｏｎ  Ｉｎｆｏｒｍａｔｉｏｎ  Ｔａｂｌｅ（ＳＩＴ）内のネットワーク識別記述子の記述内容または前記デジタル信号に含まれる供給元に関する情報であるＮｅｔｗｏｒｋ  Ｉｎｆｏｒｍａｔｉｏｎ  Ｔａｂｌｅ（ＮＩＴ）を取得し、ストリーム録画可能であるか否かを検出する第２の検出部と、
前記入力されたデジタル信号を、前記ＴＳまたは前記Ｐａｒｔｉａｌ−ＴＳのまま記録可能な記録部と、
を有する録画再生装置。
【請求項２】
前記第２の検出部は、入力されたデジタル信号がＴＳである場合には、前記ＮＩＴの値を参照して、地上デジタル放送もしくは衛星デジタル放送であるか否かを検出することを特徴とする請求項１記載の録画再生装置。
【請求項３】
前記第２の検出部は、入力されたデジタル信号がＰａｒｔｉａｌ−ＴＳである場合に、前記ＳＩＴ内のネットワーク識別記述子の記述内容のうち、「ｃｏｎｔｒｙ＿ｃｏｄｅ」と「ｍｅｄｉａ＿ｔｙｐｅ」を取得し、ストリーム記録が許可されているか否かを検出することを特徴とする請求項１記載の録画再生装置。
【請求項４】
前記第２の検出部により、ストリーム記録が禁止されているデジタル信号であることが検出された場合、前記デジタル信号の録画を停止し、既に録画が終了した信号を削除する録画制御部をさらに有することを特徴とする請求項２または３記載の録画再生装置。
【請求項５】
入力されたデジタル信号が、Ｔｒａｎｓｐｏｒｔ  Ｓｔｒｅａｍ（ＴＳ）またはＰａｒｔｉａｌ  Ｔｒａｎｓｐｏｒｔ  Ｓｔｒｅａｍ（Ｐａｒｔｉａｌ−ＴＳ）であるか否かを検出し、
ＴＳであることが検出された場合は、Ｎｅｔｗｏｒｋ  Ｉｎｆｏｒｍａｔｉｏｎ  Ｔａｂｌｅ（ＮＩＴ）を取得し、
Ｐａｒｔｉａｌ−ＴＳであることが検出された場合は、Ｓｅｌｅｃｔｉｏｎ  Ｉｎｆｏｒｍａｔｉｏｎ  Ｔａｂｌｅ（ＳＩＴ）内のネットワーク識別記述子の記述内容のうちの「ｃｏｎｔｒｙ＿ｃｏｄｅ」と「ｍｅｄｉａ＿ｔｙｐｅ」を取得し、
ＮＩＴまたはＳＩＴの記述に基づいて、ストリーム記録が許可されているか否かを特定し、
ストリーム記録が許可されていることが特定された入力デジタル信号を、前記ＴＳまたは前記Ｐａｒｔｉａｌ−ＴＳのまま記録媒体へ記録する
ことを特徴とする画像およびオーディオ信号記録方法。
【請求項６】
ストリーム記録が許可されていないこと特定された場合、記録された信号を消去することを特徴とする請求項５記載の画像およびオーディオ信号記録方法。
【請求項７】
請求項５または６記載の記録方法で用いられる録画再生装置において、
ストリームがＴＳである場合は、ＮＩＴからその供給元が、地上デジタル放送もしくは衛星デジタル放送であることを検出し、
ストリームがＰａｒｔｉａｌ−ＴＳである場合は、ＳＩＴ内のネットワーク識別記述子の記述内容のうち、「ｃｏｎｔｒｙ＿ｃｏｄｅ」と「ｍｅｄｉａ＿ｔｙｐｅ」を参照し、「ｃｏｎｔｒｙ＿ｃｏｄｅ」が『日本』で、「ｍｅｄｉａ＿ｔｙｐｅ」が『地上デジタル放送または衛星デジタル放送』であることを検出することを特徴とする録画再生装置。
【発明の詳細な説明】
【技術分野】
【０００１】
この発明は、映像およびオーディオ信号を記録または再生可能な録画再生装置に係り、特に、デジタル化された映像およびオーディオ信号のうちの品位の高い映像および音質の高いオーディオ信号を記録可能な録画再生装置、画像およびオーディオ信号記録方法に関する。
【背景技術】
【０００２】
映像や音楽を記録する記録装置として、ＤＶＤ規格の光ディスクにデジタル記録する、録画再生装置（デジタルレコーダ）が、既に、広く普及している。また、公衆向けテレビ放送においてもデジタル放送が開始されたことにともない、ＤＶＤ規格の光ディスクとの間の互換性を確保し、しかも高精細画質で映像を記録することが可能なＨＤ  ＤＶＤ規格の光ディスクが開発され、既に記録装置（ＨＤ  ＤＶＤレコーダ）も入手可能である。
【０００３】
なお、ＨＤ  ＤＶＤレコーダにおいては、記録後の映像の品位が高い（記録による劣化の極めて少ない）記録モードも用意されているため、映像およびオーディオ信号の種類に応じてコピー（複製）もしくはムーブ（移動）が制限されることが知られている。また、記録するデジタル放送が何であるか（供給元）を、ＶＭＧＩ（Ｖｉｄｅｏ  Ｍａｎａｇｅｍｅｎｔ  Ｇｅｎｅｒａｌ  Ｉｎｆｏｒｍａｔｉｏｎ／プロファイル情報）に記録することが示されている（特許文献１）。
【発明の開示】
【発明が解決しようとする課題】
【０００４】
上記文献１には、記録するデジタル放送が何であるかをＶＭＧＩ（プロファイル情報）に記録することが記載されているが、複製またはＨＤ  ＤＶＤへの移動（ムーブ）が認められていない映像およびオーディオ信号に対する処理に関する記載は見あたらない。
【０００５】
この発明の目的は、デジタル化された映像およびオーディオ信号のうちの品位の高い映像および音質の高いオーディオ信号を記録可能な録画再生装置、画像およびオーディオ信号記録方法を提供することである。
【課題を解決するための手段】
【０００６】
この発明は、上記問題点に基づきなされたもので、デジタル放送をストリーム記録する録画再生装置において、入力されたデジタル信号が、Ｔｒａｎｓｐｏｒｔ  Ｓｔｒｅａｍ（ＴＳ）またはＰａｒｔｉａｌ  Ｔｒａｎｓｐｏｒｔ  Ｓｔｒｅａｍ（Ｐａｒｔｉａｌ−ＴＳ）であることを検出する第１の検出部と、この第１の検出部により前記入力されたデジタル信号がＴＳまたはＰａｒｔｉａｌ−ＴＳであることが検出された場合、Ｓｅｌｅｃｔｉｏｎ  Ｉｎｆｏｒｍａｔｉｏｎ  Ｔａｂｌｅ（ＳＩＴ）内のネットワーク識別記述子の記述内容または前記デジタル信号に含まれる供給元に関する情報であるＮｅｔｗｏｒｋ  Ｉｎｆｏｒｍａｔｉｏｎ  Ｔａｂｌｅ（ＮＩＴ）を取得し、ストリーム録画可能であるか否かを検出する第２の検出部と、前記入力されたデジタル信号を、前記ＴＳまたは前記Ｐａｒｔｉａｌ−ＴＳのまま記録可能な記録部と、を有する録画再生装置、を提供するものである。
【発明の効果】
【０００７】
以上説明した通り、この発明の実施の形態においては、デジタル放送をストリーム記録する際に、ストリーム記録が禁止されているタイトルであることが検出された場合に、そのストリームの記録を停止し、さらに既に記録された部分が消去される。すなわち、ストリーム記録が禁止されているタイトルについては、記録そのものが停止される。従って、コピー（複製）またはムーブ（移動）が禁止されているデジタル放送のコンテンツがストリーム記録において、複製されることが防止される。
【発明を実施するための最良の形態】
【０００８】
以下、図面を参照して、この発明の実施の形態の一例を説明する。
【０００９】
図１は、この発明の一実施形態が適用可能な映像記録装置（デジタルレコーダ）の一例を概略的に示す。
【００１０】
図１に示すデジタルレコーダ（映像記録再生装置）１は、例えば、放送衛星または通信衛星を介して提供される衛星デジタルＴＶ放送や地表波（空間波）により提供される地上デジタル／アナログＴＶ放送の受信機能を持つチューナ部（Ｔｕｎｅｒ  ｕｎｉｔ）１０を有し、チューナ部１０からの出力は、映像系アナログ−デジタルコンバータ（Ｖｉｄｅｏ  ＡＤＣ）１４およびオーディオ（音声／音楽）系アナログ−デジタルコンバータ（Ａｕｄｉｏ  ＡＤＣ）１６に入力される。外部入力端子（Ａｕｘ）１２からの入力信号もまた、Ｖｉｄｅｏ  ＡＤＣ  １４およびＡｕｄｉｏ  ＡＤＣ  １６に入力される。なお、チューナ部（Ｔｕｎｅｒ  ｕｎｉｔ）１０は、例えば有線により供給されるコンテンツの受信が可能なＣＡＴＶ放送（すなわちケーブルテレビ）等において用いられるセットトップボックス（ケーブル局向けのチューナ、以下ＳＴＢと略称する）や、ＰＣ（パーソナルコンピュータ）等を対象とした通信網（インターネット網）からのコンテンツの受信が可能なサーバ（回線終端装置）および家庭内ネットワークとの接続が可能なネットワークコントローラであっても良い。また、映像記録再生装置１は、ＨＤ  ＤＶＤ  Ｖｉｄｅｏ  Ｒｅｃｏｒｄｉｎｇ  Ｆｏｒｍａｔ（以下、ＨＤ  ＤＶＤ  ＶＲフォーマットと略称する）に準拠したデジタル信号（放送）の録画が許可されている録画再生装置である。
【００１１】
Ｖｉｄｅｏ  ＡＤＣ  １４でデジタル化されたビデオストリームおよび  Ａｕｄｉｏ  ＡＤＣ  １６でデジタル化されたオーディオストリームは、ＭＰＥＧエンコーダ（ＭＰＥＧ  Ｅｎｃｏｄｅｒ）２０に入力される。チューナ部１０に供給されたＴＶ放送信号または入力信号がＭＰＥＧ２−ＴＳ（ＴＳは、Ｔｒａｎｓｐｏｒｔ  Ｓｔｒｅａｍの略）等のデジタル信号である場合は、チューナ部１０からのデジタルストリームは、そのまま、ＭＰＥＧ  Ｅｎｃｏｄｅｒ  ２０に入力される。外部デジタル入力端子１８からのデジタルストリーム（ＭＰＥＧ２−ＴＳ（またはＩＳＯ／ＩＥＣ  １３８１８−１に準拠したデジタルストリームは、ＩＥＥＥ１３９４（あるいはＨＤＭＩ）等のインタフェース（Ｉ／Ｆ，ｉｎｔｅｒｆａｃｅ）１９を経由して、ＭＰＥＧ  Ｅｎｃｏｄｅｒ  ２０に入力される。
【００１２】
エンコーダ（ＭＰＥＧ  Ｅｎｃｏｄｅｒ）２０に入力されたＴＳ（デジタルストリーム）は、そのまま出力する（パススルー（Ｐａｓｓ  ｔｈｏｕｒｇｈ）する）場合以外は、（エンコーダ２０により）ＭＰＥＧ２−ＰＳまたはＭＰＥＧ４−ＡＶＣにエンコードされる。
【００１３】
なお、ＴＳ（デジタルストリーム）がエンコーダ（ＭＰＥＧ  Ｅｎｃｏｄｅｒ）２０をパススルーされる例（許可されている例）としては、受信したデジタル信号をそのままＨＤＤ１０４内のハードディスクに記録するモード（ＨＤＤ１０４からのムーブ（移動）やコピー（複製）は禁止されている，ＳＯＢ（Ｓｔｒｅａｍ  Ｏｂｊｅｃｔ）記録と称される）が広く知られている。
【００１４】
詳細には、ＨＤ  ＤＶＤ  ＶＲフォーマットに準拠した録画再生装置１においては、ＨＤ  ＤＶＤ  Ｖｉｄｅｏ  Ｒｅｃｏｒｄｉｎｇ  ｍｏｄｅ（以下、ＨＤ  ＤＶＤ  ＶＲモードと略称する）では、内蔵しているエンコーダすなわちエンコーダ（ＭＰＥＧ  Ｅｎｃｏｄｅｒ）２０を用いてエンコードしたＰｒｏｇｒａｍ  Ｓｔｒｅａｍ（以下、ＰＳと略称する）を記録することを想定したＶＯＢ（Ｖｉｄｅｏ  Ｏｂｊｅｃｔ）記録、およびデジタル放送／信号をＴＳ（Ｔｒａｎｓｐｏｒｔ  Ｓｔｒｅａｍ）のまま記録することを想定したＳＯＢ（Ｓｔｒｅａｍ  Ｏｂｊｅｃｔ）記録の２種類が用意されている。
【００１５】
このうち、ＳＯＢ記録については、許可されるコンテンツは、日本向けのＳｔｒｅａｍ  Ｔｙｐｅを記録するモードの場合、ＴＳのうちのＩＳＤＢ−Ｔ（Ｉｎｔｅｒｇａｔｅｄ  Ｓｅｒｖｉｃｅｓ  Ｄｉｇｉｔａｌ  Ｂｒｏａｄｃａｓｔｉｎｇ  −  Ｔｅｒｒｅｓｔａｉｌ  ，すなわち地上デジタル放送）あるいはＩＳＤＢ−Ｓ（  −  Ｓａｔｅｌｌｉｔｅ  ，すなわち衛星デジタル放送）のみである。従って、上述したＳＯＢ記録が許可されているコンテンツとしては、現時点では、地上デジタル放送またはＢＳ／ＣＳデジタル放送により提供されるコンテンツのみである。このため、入力されたＴＳの供給元が地上デジタル放送またはＢＳ／ＣＳデジタル放送以外である場合には、それが検出された時点で、そこで録画を停止し、記録したコンテンツを破棄することが要求されている。
【００１６】
入力されたＴＳが地上デジタル放送もしくは衛星（ＢＳ／ＣＳ）デジタル放送であることは、ＴＳ中のＮＩＴ（Ｎｅｔｗｏｒｋ  Ｉｎｆｏｒｍａｔｉｏｎ  Ｔａｂｌｅ，番組特定情報）に記載されているｎｅｔｗｏｒｋ＿ｉｄ（ネットワークＩＤ）の値を参照すれば特定できる。なお、ネットワークＩＤは、ＩＳＯ／ＩＥＣ  １３８１８−１では規定されていないが、現在のところ、国内の放送事業者により、０ｘ４，０ｘ６，０ｘ７が、衛星（ＢＳ／ＣＳ）デジタル放送に、０ｘ７８００〜０ｘ７ＦＦＦが、地上デジタル放送に、それぞれ割り当てられている。従って、ＮＩＴの中のネットワークＩＤの値が、上述以外である場合は、その値が検出できた時点で、ＳＯＢ記録が終了される。すなわち、現時点では、日本国内においては、ケーブルＴＶ（ＩＳＤＢ−Ｃ（Ｉｎｔｅｒｇａｔｅｄ  Ｓｅｒｖｉｃｅｓ  Ｄｉｇｉｔａｌ  Ｂｒｏａｄｃａｓｔｉｎｇ  −  Ｃａｂｌｅ  ））局から有線で提供されるデジタル放送は、ＴＳ（ＳＯＢ）記録は録画できない。
【００１７】
ＭＰＥＧ２−ＰＳにエンコードする場合としては、    
ア）ＤＶＤ−ＶＲ規格に基づきＭＰＥＧ２−ＰＳ（ＰＳは、Ｐａｃｋｅｔｉｚｅｄ  Ｓｔｒｅａｍの略）にエンコードする場合（最大レート１０．０８Ｍｂｐｓ；最大解像度７２０ｘ４８０または７２０ｘ５７６）、    
イ）ＨＤ＿ＤＶＤ−ＶＲ規格に基づきＭＰＥＧ２−ＰＳに、高レートエンコードする場合（最大レート３０．２４Ｍｂｐｓ；最大解像度１９２０ｘ１０８０）、    
ウ）ＨＤ＿ＤＶＤ−ＶＲ規格内で、ＭＰＥＧ２−ＰＳに低レートエンコードする場合（最大レート１０．０８Ｍｂｐｓ；最大解像度７２０ｘ４８０または７２０ｘ５７６）がある。
【００１８】
ＭＰＥＧ  Ｅｎｃｏｄｅｒ  ２０においてエンコード（またはパススルー）されたストリームデータは、高速メモリ、例えばＳＤＲＡＭ（Ｓｙｎｃｈｒｏｎｏｕｓ  Ｄｙｎａｍｉｃ  Ｒａｎｄｏｍ  Ａｃｃｅｓｓ  Ｍｅｍｏｒｙ）２２等に一旦バッファリングされる。
【００１９】
ＳＤＲＡＭ２２においては、    
１）ＡｕｄｉｏがＬｉｎｅｒ  ＰＣＭ（リニアＰＣＭ）である場合、詳述しないがデータ構造のＡｕｄｉｏ  Ｐａｃｋのｓｕｂ＿ｓｔｒｅａｍ＿ｉｄの値を書き換える、    
２）データ構造／パラメータのうちのＲＤＩ−ＰＫＴの記載内容（形態）を書き換える（単独の「ＲＤＩ−ＰＫＴ」と「ＧＣＩ−ＰＫＴ」が付属した「ＲＤＩ−ＰＫＴ」とを、相互に交換する）、    
３）ＣＰＲＭ（ＤＶＤ規格の光ディスクにおいて、１回のみ記録が許可されている場合のコピーマネジメントの規格）により暗号されているデータを復号し、ＡＡＣＳ（ＨＤ  ＤＶＤ規格の光ディスクにおいて、記録が許可されている場合のコピーマネジメントの規格）に再暗号化する、もしくはその逆の復号と再暗号化    
により規定されるストリームの書き換え（フォーマット変換）が実行される。
【００２０】
ＳＤＲＡＭ２２にバッファリングされ、そこで処理されたストリームデータは、その内容に応じて、所定のタイミングで、ＨＤＤ１０４、ディスクドライブユニット２４もしくはメモリスロット２６に転送される。ＨＤＤ１０４は、ＨＤＤ（すなわちハードディスクドライブであり、例えば１ＴＢ（１０００ＧＢ））の容量が与えられているＨＤ（ハードディスク）を含む。ディスクドライブユニット（Ｄｉｓｋ  Ｄｒｉｖｅ  Ｕｎｉｔ）２４は、円盤状の記録媒体であって、ＨＤ  ＤＶＤ規格（再生専用で１５ＧＢ、記録可能で２０ＧＢ）の光ディスク１００やＤＶＤ規格（４．５ＧＢ）の光ディスク１０２にデータ（ストリーム）を記録可能で、かつ既に記録されているデータ（ストリーム）を再生可能である。なお、ディスクドライブユニット２４としては、回転駆動系を含めて（ＤＶＤ用およびＨＤ  ＤＶＤ用のそれぞれが）独立の２基のドライブ、回転駆動系が共通で、青色レーザ（例えば波長λ＝４０５ｎｍ）を利用する光ヘッドと赤色レーザ（例えば波長λ＝６５５ｎｍ）を利用する光ヘッドを個別に有するＨＤ＿ＤＶＤ／ＤＶＤコンパチブルドライブ、もしくは回転駆動系および光ヘッドの機構が共通で青色レーザまたは赤色レーザを切り換えて使用する２波長光学系を有するＨＤ＿ＤＶＤ／ＤＶＤコンパチブルドライブ、の何れかが組み込まれる。また、組み込まれているドライブタイプに拘わりなく、記録媒体としては、青色レーザ用光ディスク１００および赤色レーザ用光ディスク１０２のそれぞれのうちの、−Ｒ（一回のみ記録可能）／−ＲＷ（書き換え可能）／ＲＡＭ（書き換え可能）規格の光ディスクの他に、＋Ｒ（記録速度が向上された一回のみ記録可能）や＋ＲＷ（−Ｒ向け装置での再生が可能）の光ディスクも利用可能である。なお、それぞれの光ディスクには、既に片面２層タイプや両面タイプが用意されており、それらの光ディスクへの記録およびデータの再生が可能である。また。将来的には、ホログラムを利用した大容量光ディスクを用いることも可能である。なお、メモリスロット２６には、例えば２ＧＢ程度の容量が与えられたカードメモリ１０６が挿入されて、用いられる。
【００２１】
ディスクドライブユニット２４および／またはＨＤＤ１０４から再生されたストリームデータは、ＳＤＲＡＭ２２を経由して、ＭＰＥＧデコーダ（ＭＰＥＧ  Ｄｅｃｏｄｅｒ）３０に転送される。ＭＰＥＧ  Ｄｅｃｏｄｅｒ  ３０は、転送されてきたストリームに応じ、ＭＰＥＧ２−ＴＳ、ＭＰＥＧ２−ＰＳまたはＭＰＥＧ４−ＡＶＣをデコード可能である。ＭＰＥＧ  Ｄｅｃｏｄｅｒ  ３０はまた、例えばＨＤ＿ＤＶＤ−ＶＲ規格で定められているＶＣ−１をデコードできる。
【００２２】
ＭＰＥＧ  Ｄｅｃｏｄｅｒ  ３０でデコードされたビデオデータ（ＭＰＥＧ２−ＴＳまたはＭＰＥＧ２−ＰＳ）は、映像系デジタル−アナログコンバータ（Ｖｉｄｅｏ  ＤＡＣ）３２により標準画質または高精細画質のアナログビデオ信号に変換され、ビデオ出力（Ｖｉｄｅｏ  Ｏｕｔ）端子３６に供給される。なお、ビデオ出力端子３６とモニタ装置５２を接続することで、（モニタ装置５２に）映像が表示される。
【００２３】
一方、ＭＰＥＧ  Ｄｅｃｏｄｅｒ  ３０でデコードされたオーディオデータは、オーディオ（音声／音楽）系デジタル−アナログコンバータ（Ａｕｄｉｏ  ＤＡＣ）３４によりアナログオーディオ信号に変換され、オーディオ（音声）出力（Ａｕｄｉｏ  Ｏｕｔ）端子３８に供給される。なお、オーディオ出力端子３８とスピーカ（モニタ装置５２に内蔵されている場合や独立している場合がある）を接続することで、音声あるいは音楽が再生される。
【００２４】
なお、ＭＰＥＧ  Ｄｅｃｏｄｅｒ  ３０に供給されたデータがＭＰＥＧ２−ＴＳの場合は、ＩＥＥＥ１３９４（またはＨＤＭＩ）等のインタフェース３７を経由して、そのままデジタル出力（Ｄｉｇｉｔａｌ  Ｏｕｔ）端子３９に供給される。
【００２５】
また、図１に示した録画再生装置（ＨＤ＿ＤＶＤレコーダ）は、ＭＰＵ４０により制御される。ＭＰＵ４０は、ファームウエアや種々な制御パラメータを格納するＥＥＰＲＯＭ４２、ワークＲＡＭ４４、タイマ４６等が付属している。ＭＰＵ４０のファームウエアのとしては、例えばグラフィカルユーザインタフェース（ＧＵＩ）を提供するＧＵＩ表示制御部４００、エンコードパラメータ検出処理部４０２、高速コピー（高速ダビング）処理部４０４、レート変換コピー（等速コピー／等速ダビング）制御部４０６、記録／再生制御部（管理情報処理部）等を含む。ＧＵＩ表示制御部４００による処理結果は、オンスクリーン表示制御部（ＯＳＤ）５０を介して、モニタ装置５２に供給される（タイトルサムネールの表示画面５２ａ、コピー処理時のダイアログボックス表示画面５２ｂ等はＯＳＤ５０による処理結果が、先に説明したビデオ出力端子３６から供給される映像出力に重ね合わせられて表示される。
【００２６】
なお、ＨＤＤ１０４については、１台の超大容量ＨＤＤ（例えば１ＴＢ）でも、複数の大容量ＨＤＤの併用（例えば５００ＧＢ＋５００ＧＢ）でもよい。また、ＨＤＤ１０４の記録エリアの使い方としては、その記録エリアを、論理的に複数パーティションに分けて使用する場合と、物理的なＨＤＤ毎に用途を特定する場合がある。前者の場合としては、例えば１ＴＢのうち４００ＧＢの第１パーティションをデジタル高精細放送のＭＰＥＧ２−ＴＳ記録用（ＴＳタイトル用）に割り当て、４００ＧＢの第２パーティションをデジタル高精細放送のＭＰＥＧ４−ＡＶＣ記録用（ＨＤＶＲタイトル用）に割り当て、２００ＧＢの第３パーティションをアナログ放送またはデジタル放送もしくは外部入力のＭＰＥＧ２−ＰＳ記録用（ＶＲタイトル用）に割り当てるなどが考えられる。また、後者の場合としては、例えば第１の４００ＧＢＨＤＤをＭＰＥＧ２−ＴＳ記録用（ＴＳタイトル用）に割り当て、第２の４００ＧＢＨＤＤをＭＰＥＧ４−ＡＶＣ記録用（ＨＤＶＲタイトル用）に割り当て、第３の２００ＧＢＨＤＤをＭＰＥＧ２−ＰＳ記録用（ＶＲタイトル用）に割り当てるなどが考えられる。
【００２７】
ところで、デジタル信号の映像の供給元として、ダイレクト入力すなわちＤｉｇｉｔａｌ  Ｉｎ  （デジタルイン）１９，すなわちＩＥＥＥ１３９４端子あるいはＨＤＭＩ端子を経由して入力されるＰａｒｔｉａｌ  Ｔｒａｎｓｐｏｒｔ  Ｓｔｒｅａｍ（以下、Ｐａｒｔｉａｌ−ＴＳと略称する）については上述したＮＩＴが存在しない。このため、Ｐａｒｔｉａｌ−ＴＳ化されたデジタル信号（映像およびオーディオ信号）については、制作者側の意図しない無秩序な複製等が可能となる可能性がある。
【００２８】
このため、上述したＳＯＢ記録において、デジタル放送以外の方法で供給されるコンテンツに関しては、図２に主要部をまとめて一覧表示するが、ＩＳＯ／ＩＥＣ  １３８１８−１に準拠し、ＡＲＩＢ（社団法人電波産業界）で規格化されている「標準規格」に規定されているＳＩＴ（Ｓｅｌｅｃｔｉｏｎ  Ｉｎｆｏｒｍａｔｉｏｎ  Ｔａｂｌｅ，Ｐａｒｔｉａｌ−ＴＳで伝送される番組に関する情報）に付属するネットワーク識別記述子（ｎｅｔｗｏｒｋ＿ｉｄｅｎｔｉｆｉｃａｔｉｏｎ＿ｄｅｓｃｒｉｐｔｏｒ，以下ＮＩＤと略称する）の値で判断する。すなわち、ＮＩＤには、地域情報が記録される「ｃｏｎｔｒｙ＿ｃｏｄｅ」と「ｍｅｄｉａ＿ｔｙｐｅ」が規定されており、例えば「ｃｏｎｔｒｙ＿ｃｏｄｅ」が『日本』向けであることを示す『０ｘ４Ａ５０４Ｅ』、かつ「ｍｅｄｉａ＿ｔｙｐｅ」が「衛星（ＢＳ／ＣＳ）デジタル放送」を示す『０ｘ４２５３』もしくは「地上デジタル放送」を示す『０ｘ５４４２』である場合は、ＳＯＢ記録が可能とコンテンツである、と判断することができる。
【００２９】
すなわち、図１に示した録画再生装置１においては、図３により以下に説明する通り、入力されたストリーム（ＴＳ）の（供給元の）種別に従い、ＮＩＴもしくはＳＩＴの記述／記載を調査し、衛星（ＢＳ／ＣＳ）デジタル放送または地上デジタル放送か否かを判定し、それら以外のストリームであった場合、録画を停止し、既に録画が終了した部分（タイトル）を削除することにより制作者側の意図しない無秩序な複製が防止される。また、録画再生装置において、既に規定されているＶＭＧＩ（プロファイル情報）に記載のある「サポートしているストリーム」以外は、ＨＤ  ＤＶＤディスク（１００）への記録（複製／移動）を禁止することが容易に実現できる。
【００３０】
より詳細には、入力されたストリーム（デジタル化された映像信号およびオーディオ信号がＰａｒｔｉａｌ−ＴＳであるか否かを判断し（Ｓ１）、通常のＴＳである場合（Ｓ１−ＮＯ）、ＮＩＴ中のネットワークＩＤを取得する（Ｓ２）。
【００３１】
ステップＳ２において取得したネットワークＩＤが衛星（ＢＳ／ＣＳ）デジタル放送、あるいは地上デジタル放送のいずれかであるか否かを判断し（Ｓ３）、入力ストリームが衛星（ＢＳ／ＣＳ）デジタル放送、あるいは地上デジタル放送のいずれかから供給されているものであることが検出できた場合（Ｓ３−ＹＥＳ）、そのストリーム（コンテンツ／タイトル）を、ＨＤ  ＤＶＤディスクに「ＨＤ  ＤＶＤ  ＶＲモード」で記録（複製または移動）する（Ｓ４）。
【００３２】
一方、入力ストリームが衛星（ＢＳ／ＣＳ）デジタル放送または地上デジタル放送以外から供給されているものであると判断された場合（Ｓ３−ＮＯ）、そのストリーム（コンテンツ／タイトル）の、ＨＤ  ＤＶＤディスクへの「ＨＤ  ＤＶＤ  ＶＲモード」による記録を中止し（Ｓ５）、既に記録（録画）されたタイトル（コンテンツ）を削除／消去する（Ｓ６）。
【００３３】
また、ステップＳ１で、入力ストリームが非Ｐａｒｔｉａｌ−ＴＳ（通常のＴＳ）であることが検知された場合（Ｓ１−ＮＯ）、ＳＩＴ中のネットワーク識別記述子（ＮＩＤ）を取得する（Ｓ７）。
【００３４】
以下、ステップＳ３に従い、衛星（ＢＳ／ＣＳ）デジタル放送または地上デジタル放送から供給されたコンテンツ／タイトルであることが検知された場合は（Ｓ３−ＹＥＳ）、そのストリーム（コンテンツ／タイトル）を、ＨＤ  ＤＶＤディスクに「ＨＤ  ＤＶＤ  ＶＲモード」で記録（複製または移動）する（Ｓ４）。
【００３５】
なお、上述したＮＩＴやＳＩＴを参照するための情報や、その解析手順（図３に示したフローチャートを実際に実行するためのプログラム）は、例えばＭＰＵ４０のファームウエアとして保持されてもよいし、例えばＥＥＰＲＯＭ４２に予め記憶されていてもよい。また、ＨＤＤ１０４内に確保されたプログラム領域に（装置製造元から新たなプログラムや情報がダウンロード等により更新可能に）保存されてもよい。また、ＴＳ／Ｐａｒｔｉａｌ−ＴＳは、例えば管理情報処理部（記録／再生制御部）４０８やＭＰＵ４０のファームウエアにより検出可能されることはいうまでもない。
【００３６】
以上説明したように、この発明の１つの実施形態を用いることで、ＨＤ  ＤＶＤ  ＶＲモードによりデジタル放送をストリーム記録する際に、ストリーム記録が禁止されているタイトルであることが検出された場合に、そのストリームの記録を停止し、さらに既に記録された部分が消去される。すなわち、ストリーム記録が禁止されているタイトルについては、記録そのものが停止される。従って、コピー（複製）またはムーブ（移動）が禁止されているデジタル放送のコンテンツがストリーム記録において、複製されることが防止される。
【図面の簡単な説明】
【００３７】
【図１】この発明の一実施の形態に係る録画再生装置（ＨＤ＿ＤＶＤレコーダ）の構成の一例を説明する概略ブロック図。
【図２】図１に示した録画再生装置に供給されるデジタル化された映像およびオーディオ信号がパススルーによる直接記録が可能な信号であるか否かの識別に利用される「標準規格」の一部を説明する概略図。
【図３】図１に示した録画再生装置に供給されるデジタル化された映像およびオーディオ信号がパススルーによる直接記録が可能な信号であるか否かを判断する手順の一例を説明するフローチャート。
【符号の説明】
【００３８】
２０…エンコーダ、２４…ディスクドライブユニット、２６…メモリスロット、３０…デコーダ、４０…制御用マイクロプロセサ（ＭＰＵ）、４００…グラフィックユーザインタフェース（ＧＵＩ）表示制御部（ファームウエア）、４０２…エンコードパラメータ検出処理部（ファームウエア）、４０４…高速コピー／高速ダビング処理部（ファームウエア）、４０６…レート変換コピー／レート変換ダビング制御部（ファームウエア）、４０８…記録／再生制御部（管理情報処理部（ファームウエア））、５０…オンスクリーン表示（ＯＳＤ）制御部、５２…モニタ装置、１００…記録媒体（ＨＤ  ＤＶＤ規格の光ディスク）、１０２…記録媒体（ＤＶＤ規格の光ディスク）、１０４…ＨＤＤ（ハードディスクドライブ）、１０６…記録媒体（カードメモリ）。
【図１】
2008016878.tif 000003
【図２】
2008016878.tif 000004
【図３】
2008016878.tif 000005